(57)【要約】      （修正有）【課題】伝言を通してコミュニケーションを取るための画像及び音声伝言装置を提供する。【解決手段】画像及び音声伝言装置１０は、ハウジング１１、制御機構１２、メモリー１３、複数の押しボタン１４、撮影レンズ１５、画面１６、マイク１７およびスピーカー１８を備える。これにより、あらかじめ録画および録音によって伝言を作成し、かつ予め作成した伝言を再生することによって伝言に気付かせ、伝言に応答し、伝言を通してお互いの関心を深めることが可能になる。【選択図】図３
0003155054.tif 000002
【実用新案登録請求の範囲】
【請求項１】
ハウジングと、
前記ハウジング内に装着される制御機構と、
前記ハウジング内に装着され、かつ前記制御機構に電気的に接続されるメモリーと、
前記ハウジング上に配置され、かつ前記制御機構に電気的に接続される複数の押しボタンと、
前記ハウジング上に装着され、かつ前記制御機構に電気的に接続される撮影レンズと、
前記ハウジング上に配置され、かつ前記制御機構に電気的に接続される画面と、
前記ハウジング内に装着され、かつ前記制御機構に電気的に接続されるマイクと、
前記ハウジング内に装着され、かつ前記制御機構に電気的に接続されるスピーカーと、
を備えることを特徴とする画像及び音声伝言装置。
【請求項２】
前記制御機構に電気的に接続するように前記ハウジング上に配置され、かつコンピューターに接続されて情報伝送作業を行なうことが可能な外接インターフェースをさらに備えることを特徴とする請求項１に記載の画像及び音声伝言装置。
【請求項３】
前記ハウジングを装着対象物に固定することが可能な固定部をさらに備えることを特徴とする請求項１に記載の画像及び音声伝言装置。
【請求項４】
前記固定部は、磁石、係合溝またはクリップのうちいずれか一つから構成されることを特徴とする請求項３に記載の画像及び音声伝言装置。
【請求項５】
前記ハウジングは外周に突出部を有し、装飾用ケースは、前記ハウジングに対応する装着チャンバーを有し、前記ハウジングは前記装着チャンバーに装着され、前記突出部は前記装着チャンバーの外周の前記装飾用ケースの表面に係止されることを特徴とする請求項１に記載の画像及び音声伝言装置。
【請求項６】
前記ハウジング上に配置され、かつ前記制御機構に電気的に接続される第一指示ランプをさらに備えることを特徴とする請求項１に記載の画像及び音声伝言装置。
【請求項７】
前記ハウジング上に配置され、かつ制御機構に電気的に接続される第二指示ランプをさらに備えることを特徴とする請求項６に記載の画像及び音声伝言装置。
【請求項８】
前記第一指示ランプは、表示方式を変えることによって、前記画像及び音声伝言装置が起動されたこと、あるいは、画像及び音声伝言が前記画像及び音声伝言装置に記録されたこと、またはその両方を表示することが可能であることを特徴とする請求項６に記載の画像及び音声伝言装置。
【請求項９】
前記第一指示ランプの表示方式を変える方法は、光の色を変える方法、または発光を変化させる方法のうちの一つであることを特徴とする請求項８に記載の画像及び音声伝言装置。
【考案の詳細な説明】
【技術分野】
【０００１】
本考案は、画像及び音声通信に関し、詳しく言えば画像及び音声伝言装置に関するものである。
【背景技術】
【０００２】
商工業の繁栄、発達に伴い、家族成員それぞれの生活が忙しくなり、頻繁に顔をあわせることはあっても、それぞれの生活リズムが異なるため用事を頼みたいとき誰もいないということがよくある。また、夫婦喧嘩または兄弟喧嘩の場合、当事者間で詫びの言葉や提案を伝えるには伝言を通してコミュニケーションを取る必要が出てくる。
従来の伝言方法は、メモ用紙または黒板、白板に伝えたいことを書き記すことであるが、前述したとおり生活の忙しい現代人はメモ用紙または黒板、白板に書き記した伝言に気付かないことがよくある。また従来の伝言方法は、音声及び照明効果を持たずごく普通の伝達方法であるため、当事者の気持ちおよび一番伝いたいことを完全に伝達することができなかった。
幸いに科学技術の進展に伴いアクティブな画像及び音声によって伝言する方法を運用することができるようになったため、アクティブな画像及び音声表現を通して伝えたいことを伝達することによってより確実に感受せしめ、互いに関心を持たせることが可能となった。
【考案の概要】
【考案が解決しようとする課題】
【０００３】
本考案の主な目的は、あらかじめ録画および録音によって伝言を作成し、かつ予め作成した伝言を再生することによって伝言に気付かせたり、伝言に応答したり、伝言を通してお互いの関心を深めるといった効果を達成することを可能にする画像及び音声伝言装置を提供することである。
【課題を解決するための手段】
【０００４】
上述の目的を達成するために、本考案による画像及び音声伝言装置は、ハウジング、制御機構、メモリー、複数の押しボタン、撮影レンズ、画面、マイクおよびスピーカーを備える。制御機構はハウジング内に装着される。メモリーはハウジング内に装着され、かつ制御機構に電気的に接続される。複数の押しボタンはハウジング上に配置され、制御機構に電気的に接続される。撮影レンズはハウジング上に装着され、かつ制御機構に電気的に接続される。画面はハウジング上に配置され、かつ制御機構に電気的に接続される。マイクはハウジング内に装着され、かつ制御機構に電気的に接続される。スピーカーはハウジング内に装着され、かつ制御機構に電気的に接続される。
【図面の簡単な説明】
【０００５】
【図１】本考案の第一実施形態による画像及び音声伝言装置を示す立体図である。
【図２】本考案の第一実施形態による画像及び音声伝言装置の構成を示すブロック図である。
【図３】本考案の第一実施形態による画像及び音声伝言装置を示す分解図である。
【図４】図１の４−４線の断面図である。
【図５】本考案の第一実施形態による画像及び音声伝言装置に第一指示ランプのみが配置された状態を示す模式図である。
【図６】本考案の第一実施形態による画像及び音声伝言装置が冷蔵庫の扉に固定された状態を示す模式図である。
【図７】本考案の第一実施形態による画像及び音声伝言装置がスタンドに固定された状態を示す模式図である。
【図８】本考案の第二実施形態による画像及び音声伝言装置がスタンドに固定された状態を示す模式図である。
【図９】本考案の第三実施形態による画像及び音声伝言装置がスタンドに固定された状態を示す模式図である。
【考案を実施するための形態】
【０００６】
以下、本考案による画像及び音声伝言装置を図面に基づいて説明する。
【０００７】
（第一実施形態）
【０００８】
図１から図４に示すように、本考案の第一実施形態による画像及び音声伝言装置１０は、ハウジング１１、制御機構１２、メモリー１３、三つの押しボタン１４、撮影レンズ１５、画面１６、マイク１７およびスピーカー１８を備える。
制御機構１２は、ハウジング１１内に装着される。メモリー１３は、ハウジング１１内に装着され、かつ制御機構１２に電気的に接続される。押しボタン１４は、ハウジング１１上に配置され、かつ制御機構１２に電気的に接続されるため、外力作用によって生じた信号を制御機構１２に伝送することが可能である。押しボタン１４は、電源ボタン１４１、録画ボタン１４２および再生ボタン１４３を有する。撮影レンズ１５は、所定範囲内の画像の撮影に用いるためハウジング１１上に装着され、かつ制御機構１２に電気的に接続される。画面１６は、撮影レンズ１５で取った画像の表示に用いるためハウジング１１上に配置され、かつ制御機構１２に電気的に接続される。マイク１７は、ハウジング１１内に装着され、かつ制御機構１２に電気的に接続され、録音を行なうことが可能である。スピーカー１８は、ハウジング１１内に装着され、かつ制御機構１２に電気的に接続され、マイク１７で録音した音声を流すことが可能である。
【０００９】
外接インターフェース２１は、ハウジング１１上に配置され、かつ制御機構１２に電気的に接続され、画像及び音声伝言装置１０とコンピューターとを接続させ、情報伝送作業を行なうことが可能である。
【００１０】
第一指示ランプ２２は、ハウジング１１上に配置され、かつ制御機構１２に電気的に接続される。
【００１１】
第二指示ランプ２４は、ハウジング１１上に配置され、かつ制御機構１２に電気的に接続される。
【００１２】
装飾用ケース３１は、ハウジング１１に対応する装着チャンバー３２を有する。ハウジング１１は突出部１１１および固定部１１２を有し、突出部１１１はハウジング１１の外周から突出して形成され、固定部１１２はハウジング１１を装着対象物に固定することが可能である。本実施形態において、固定部１１２はハウジング１１上に固着される磁石１１３である。ハウジング１１は装着チャンバー３２に装着される。突出部１１１は装着チャンバー３２の外周の装着用ケース３１の表面に係止される。
【００１３】
以上は、本考案による画像及び音声伝言装置１０の部品および部品間の関係についての説明をした。以下、使用方法および特徴について説明を進める。
【００１４】
画像及び音声伝言装置１０を使用する際、まず押しボタン１４中の電源ボタン１４１を押し、制御機構１２によって第一指示ランプ２２を発光させると、画像及び音声伝言装置１０が起動される。続いて録画ボタン１４２を押し、撮影レンズ１５およびマイク１７に向かって表現したい画像を撮影し、伝えたいことを録音する。このとき撮影レンズ１５で取った画像データおよびマイク１７で録音した音声データはメモリー１３に完全に記録される。再び録画ボタン１４２を押すと画像及び音声の録画作業が完了する。このとき画像及び音声伝言は画像及び音声伝言装置１０に記録されたため、第二指示ランプ２４が発光する。画像及び音声伝言装置１０に記録された画像及び音声の内容を確認したい場合、まず再生ボタン１４３を押す。このときメモリー１３に記録された画像データおよび音声データは別々に画面１６およびスピーカー１８によって再生されるため、画像及び音声伝言装置１０に記録された画像及び音声の内容を確認することができる。
【００１５】
図５に示すように、本考案は同じ考案思想に基づいて画像及び音声伝言装置１０に第一指示ランプ２２のみを配置し、第二指示ランプ２４の配置をやめることが可能である。例えば、第一指示ランプ２２は、画像及び音声伝言装置１０が起動されると緑色に光り、画像及び音声の録画作業が完了し、画像及び音声伝言が画像及び音声伝言装置１０に記録されると赤色に光る。あるいは、画像及び音声伝言装置１０が起動されると点灯し、画像及び音声伝言が画像及び音声伝言装置１０に記録されると点滅する。このように、第一指示ランプ２２の光の色または発光方式を変えることによって、画像及び音声伝言装置１０に第二指示ランプ２４が配置された時と同じ効果を達成することが可能である。
【００１６】
図４、図６および図７に示すように、本実施形態において、固定部１１２は磁石１１３から構成されるため、画像及び音声伝言装置１０は図６に示す冷蔵庫の扉および図７に示すスタンド２３などの磁性物体に固定することが可能である。装飾用ケース３１の外形は、美観を増すために設計される。本実施形態において、装飾用ケース３１は図６に示すように木の形を呈する。
【００１７】
（第二実施形態）
【００１８】
図８に示すのは本考案の第二実施形態による画像及び音声伝言装置２０である。第一実施形態との違いは次のとおりである。固定部１１３はハウジング１１上に配置された鳩尾形の係合溝１１４から構成されるため、画像及び音声伝言装置２０を装着対象物に装着することが可能である。本実施形態において装着対象物はスタンド２３である。
【００１９】
（第三実施形態）
【００２０】
図９に示すのは本考案の第三実施形態による画像及び音声伝言装置３０である。第一実施形態との違いは次のとおりである。固定部１１３はハウジング１１上に装着されたクリップ１１５から構成されるため、画像及び音声伝言装置３０を装着対象物に装着することが可能である。本実施形態において装着対象物はスタンド２３である。
【００２１】
上述したとおり、本考案による画像及び音声伝言装置は、あらかじめ録画および録音によって伝言を作成し、かつ適切な時に予め作成した伝言を再生することによって伝言に気付かせたり、伝言に応答したり、伝言を通してお互いの関心を深めるといった効果を達成することが可能である。
【符号の説明】
【００２２】
１０：画像及び音声伝言装置、  １１：ハウジング、  １１１：突出部、  １１２：固定部、  １１３：磁石、  １１４：鳩尾形の係合溝、  １１５：クリップ、  １２：制御機構、  １３：メモリー、  １４：押しボタン、  １４１：電源ボタン、  １４２：録画ボタン、  １４３：再生ボタン、  １５：撮影レンズ、  １６：画面、  １７：マイク、  １８：スピーカー、  ２０：画像及び音声伝言装置、  ２１：外接インターフェース、  ２２：第一指示ランプ、  ２３：スタンド、    ２４：第二指示ランプ、  ３０：画像及び音声伝言装置、  ３１：装飾用ケース、  ３２：装着チャンバー。
【図１】
0003155054.tif 000003
【図２】
0003155054.tif 000004
【図３】
0003155054.tif 000005
【図４】
0003155054.tif 000006
【図５】
0003155054.tif 000007
【図６】
0003155054.tif 000008
【図７】
0003155054.tif 000009
【図８】
0003155054.tif 000010
【図９】
0003155054.tif 000011